(57)【要約】      （修正有）【課題】通信ネットワーク用モジュラープラグとソケットの係止位置決め装置の提供。【解決手段】プラグ本体１、左右のロックロッド２,３、スライドレールシート４、保護カバー５を具え、保護カバーを往復して押動してそれが接続されたスライドレールシートに左右のロックロッドを駆動させてロックロッドを回転させ、プラグ本体とソケットの嵌め溝を係止位置決め或いは離脱させる機能を達成し、操作簡便と省力の長所を達成する。【選択図】図２
0003108124.tif 000002
【実用新案登録請求の範囲】
【請求項１】
通信ネットワーク用モジュラープラグとソケットの係止位置決め装置において、プラグ本体、左右のロックロッド、スライドレールシート、保護カバーを具え、
該プラグ本体は、その上端面の両側に枢設孔が設けられて左右のロックロッドの枢軸が挿入され、左右のロックロッドは回転自在とされ、このほかその上端面に別にストッパブロックが設けられ、スライドレールシート４の連動ブロックを係止するのに供され、
左右のロックロッドは、所定長さの閉鎖部及び該閉鎖部の後側より後ろ向きに折り曲げられ所定角度拡張された連動部を具え、そのうち、閉鎖部の前側上方にフックがあり、連動部の底部に枢軸があり、それぞれプラグ本体の二つの枢設孔に枢設され、
該スライドレールシートは、その前方の底面両側に下向きに延伸された凸塊があり、且つ二つの凸塊に前向きに突出する前係止溝が設けられ、該スライドレールシートの後方底面に凸塊が設けられて後ろ係止溝が形成され、前述の前係止溝と後ろ係止溝がそれぞ保護カバーの位置決め溝の前係止ブロックと後ろ係止ブロックと係合可能で、且つスライドレールシートの前方の底面中間に前が細く後ろが太い連動ブロックが設けられ、該連動ブロックの両側面と前述の両側の凸塊の間に後ろ向きに斜めに拡張された滑り溝が形成され、  該保護カバーは、その前側に比較的大きな収容空間を具えてプラグ本体の後側が挿入され、該収容空間の後方が後ろ向きに漸縮し且つ通信線の挿通に供されて活動可能な状態を呈し、該保護カバーの前側上方に位置決め溝が設けられ、且つ位置決め溝の前後に前係止ブロックと後ろ係止ブロックが設けられてスライドレールシートの前係止溝と後ろ係止溝に係合可能とされ、且つ該スライドレールシートの二つの滑り溝が左右のロックロッドの連動部に滑り込み、スライドレールシートの連動ブロックを左右のロックロッドの間に位置させ、
以上の部品で構成され、プラグ本体がソケットの嵌め溝に挿入された後、保護カバーが前向きに押動されると、保護カバーに接続されたスライドレールシートの連動ブロックが前向きに左右のロックロッドを駆動し回転させ、その閉鎖部を外向きに拡張させ、並びにその二つのフックをそれぞれソケットの嵌め溝上方両側の係止面の内壁に係止させ、こうして係止位置決めを達成し、プラグ本体をソケットより抜き取りたい時は、保護カバーを後ろに移動させれば、スライドレールシートの両側の凸塊の内側が左右のロックロッドを駆動し、その連動部が内向きに接近し、並びにソケットの嵌め溝両側の係止面より離脱し、これによりプラグ本体をソケットより抜き取ることができることを特徴とする、通信ネットワーク用モジュラープラグとソケットの係止位置決め装置。
【考案の詳細な説明】
【技術分野】
【０００１】
本考案は通信ネットワーク用モジュラープラグとソケットの係止位置決め装置に係り、周知の通信ネットワーク用モジュラープラグの弾性フックとソケットの嵌め溝の係止位置決め構造を改良し、保護カバーのスライドレールシートによりソケットに枢設された左右のロックロッドを駆動し、これによりソケットの嵌め溝との係止位置決めの機能を達成すると共に、操作が簡単に楽に行なえ、使用寿命も高める目的を達成する通信ネットワーク用モジュラープラグとソケットの係止位置決め装置に関する。
【背景技術】
【０００２】
周知の通信ネットワーク用モジュラープラグ８とソケット９は図１に示されるようであり、プラグ８は上向きに起こされた弾性フック８１を具え、プラグ８がソケット９の嵌め溝９１に挿入される時に、該弾性フック８１の両側の係止ブロック８１１が嵌め溝９１の上方両側の係止面９１１の内壁面（図示せず）を係止することで、係止位置決めの作用を達成する。ただしこのような係止構造は以下のような欠点を有している。
１．プラグ８とソケット９を分離或いは挿嵌位置決めする時に弾性フック８１を押圧しなければ操作できず、面倒で力が必要である。
２．弾性フック８１が容易に弾性疲労を発生してぐらつき、接触不良をもたらし、時には逸脱し、且つ使用時に弾性フック８１が引っ掛かり切断、損壊しやすい。
３．弾性フック８１は上向きに起こされ、このため取付部分の体積を占有する。
【考案の開示】
【考案が解決しようとする課題】
【０００３】
本考案は一種の通信ネットワーク用モジュラープラグとソケットの係止位置決め装置を提供し、それは、往復して保護カバーを押動することでそれに接続されたスライドレールシートにより左右のロックロッドを回転させ、これによりプラグ本体とソケットの係止位置決め及び離脱の機能を達成し、並びに操作が簡便で楽である長所を達成するものとする。
【０００４】
本考案はまた一種の通信ネットワーク用モジュラープラグとソケットの係止位置決め装置を提供することを目的とし、それは、周知の製品の上向きに起きた弾性フックを使用せず、取付部分の空間を節約し、且つフックが引っ掛かり切断される情況を無くし、またフックの弾性疲労の欠点を無くし、これによりプラグ本体とソケットの係止効果を高め使用寿命を高めるものとする。
【課題を解決するための手段】
【０００５】
請求項１の考案は、通信ネットワーク用モジュラープラグとソケットの係止位置決め装置において、プラグ本体、左右のロックロッド、スライドレールシート、保護カバーを具え、
該プラグ本体は、その上端面の両側に枢設孔が設けられて左右のロックロッドの枢軸が挿入され、左右のロックロッドは回転自在とされ、このほかその上端面に別にストッパブロックが設けられ、スライドレールシート４の連動ブロックを係止するのに供され、
左右のロックロッドは、所定長さの閉鎖部及び該閉鎖部の後側より後ろ向きに折り曲げられ所定角度拡張された連動部を具え、そのうち、閉鎖部の前側上方にフックがあり、連動部の底部に枢軸があり、それぞれプラグ本体の二つの枢設孔に枢設され、
該スライドレールシートは、その前方の底面両側に下向きに延伸された凸塊があり、且つ二つの凸塊に前向きに突出する前係止溝が設けられ、該スライドレールシートの後方底面に凸塊が設けられて後ろ係止溝が形成され、前述の前係止溝と後ろ係止溝がそれぞ保護カバーの位置決め溝の前係止ブロックと後ろ係止ブロックと係合可能で、且つスライドレールシートの前方の底面中間に前が細く後ろが太い連動ブロックが設けられ、該連動ブロックの両側面と前述の両側の凸塊の間に後ろ向きに斜めに拡張された滑り溝が形成され、  該保護カバーは、その前側に比較的大きな収容空間を具えてプラグ本体の後側が挿入され、該収容空間の後方が後ろ向きに漸縮し且つ通信線の挿通に供されて活動可能な状態を呈し、該保護カバーの前側上方に位置決め溝が設けられ、且つ位置決め溝の前後に前係止ブロックと後ろ係止ブロックが設けられてスライドレールシートの前係止溝と後ろ係止溝に係合可能とされ、且つ該スライドレールシートの二つの滑り溝が左右のロックロッドの連動部に滑り込み、スライドレールシートの連動ブロックを左右のロックロッドの間に位置させ、
以上の部品で構成され、プラグ本体がソケットの嵌め溝に挿入された後、保護カバーが前向きに押動されると、保護カバーに接続されたスライドレールシートの連動ブロックが前向きに左右のロックロッドを駆動し回転させ、その閉鎖部を外向きに拡張させ、並びにその二つのフックをそれぞれソケットの嵌め溝上方両側の係止面の内壁に係止させ、こうして係止位置決めを達成し、プラグ本体をソケットより抜き取りたい時は、保護カバーを後ろに移動させれば、スライドレールシートの両側の凸塊の内側が左右のロックロッドを駆動し、その連動部が内向きに接近し、並びにソケットの嵌め溝両側の係止面より離脱し、これによりプラグ本体をソケットより抜き取ることができることを特徴とする、通信ネットワーク用モジュラープラグとソケットの係止位置決め装置としている。
【考案の効果】
【０００６】
本考案の通信ネットワーク用モジュラープラグとソケットの係止位置決め装置は、往復して保護カバーを押動することでそれに接続されたスライドレールシートにより左右のロックロッドを回転させ、これによりプラグ本体とソケットの係止位置決め及び離脱の機能を達成し、並びに操作が簡便で楽である長所を達成する。
【０００７】
本考案の通信ネットワーク用モジュラープラグとソケットの係止位置決め装置は、周知の製品の上向きに起きた弾性フックを使用せず、取付部分の空間を節約し、且つフックが引っ掛かり切断される情況を無くし、またフックの弾性疲労の欠点を無くし、これによりプラグ本体とソケットの係止効果を高め使用寿命を高める。
【考案を実施するための最良の形態】
【０００８】
図２から図９に示されるように、本考案の通信ネットワーク用モジュラープラグとソケットの係止位置決め装置は、プラグ本体１、左右のロックロッド２、３、スライドレールシート４、保護カバー５を具えている。
【０００９】
該プラグ本体１は、その上端面１１の両側に枢設孔１１１、１１２が設けられて左右のロックロッド２、３の枢軸２２１、３２１（図５）が挿入され、左右のロックロッド２、３は回転自在とされ、このほかその上端面１１に別にストッパブロック１１３が設けられ、スライドレールシート４の連動ブロック４４を係止するのに供される。
【００１０】
左右のロックロッド２、３は、適当な長さの閉鎖部２１、３１及び該閉鎖部２１、３１の後側より後ろ向きに折り曲げられ所定角度拡張された連動部２２、３２を具え、そのうち、閉鎖部２１、３１の前側上方にフック２１１、３１１があり、連動部２２、３２の底部に枢軸２２１、３２１があり、それぞれプラグ本体１の二つの枢設孔１１１、１１２に枢設される。
【００１１】
スライドレールシート４は、その前方の底面両側に下向きに延伸された凸塊４１、４２があり（図６）、且つ二つの凸塊４１、４２に前向きに突出する前係止溝４０が設けられ、該スライドレールシート４の後方底面に凸塊４３が設けられて後ろ係止溝４３１が形成され、前述の前係止溝４０と後ろ係止溝４３１がそれぞ保護カバー５の位置決め溝５２の前係止ブロック５２１と後ろ係止ブロック５２２と係合可能で、且つスライドレールシート４の前方の底面中間に前が細く後ろが太い連動ブロック４４が設けられ、該連動ブロック４４の両側面４４１、４４２と前述の両側の凸塊４１、４２の間に後ろ向きに斜めに拡張された滑り溝４１０、４２０が形成されている。
【００１２】
保護カバー５は、その前側に比較的大きな収容空間５１を具えてプラグ本体１の後側が挿入され、該収容空間５１の後方が後ろ向きに漸縮し且つ通信線６（図７）の挿通に供されて活動可能な状態を呈し、該保護カバー５の前側上方に位置決め溝５２が設けられ、且つ位置決め溝５２の前後に前係止ブロック５２１と後ろ係止ブロック５２２が設けられてスライドレールシート４の前係止溝４０と後ろ係止溝４３１に係合可能とされ、且つ該スライドレールシート４の二つの滑り溝４１０、４２０が左右のロックロッド２、３の連動部２２、３２に滑り込み、スライドレールシート４の連動ブロック４４を左右のロックロッド２、３の間に位置させる。
【００１３】
前述の部品で構成され、プラグ本体１がソケット７の嵌め溝７１に挿入された後、保護カバー５が前向きに押動されると、保護カバー５に接続されたスライドレールシート４の連動ブロック４４が前向きに左右のロックロッド２、３を駆動し回転させ、その閉鎖部２１、３１を外向きに拡張させ（図９）、並びにその二つのフック２１１、３１１をそれぞれソケット７の嵌め溝７１上方両側の係止面７１１の内壁（図示せず）に係止させ、こうして係止位置決めの作用が達成される。また、プラグ本体１をソケット７より抜き取りたい時は、ただ保護カバー５を後ろに移動させれば、スライドレールシート４の両側の凸塊４１、４２の内側４１２、４２２が左右のロックロッド２、３を駆動し、その連動部２２、３２が内向きに接近し（図８）、並びにソケット７の嵌め溝７１両側の係止面７１１より離脱し、これによりプラグ本体１をソケット７より抜き取ることができる。
【００１４】
総合すると、保護カバーは以下のような機能が向上されている。
１．往復して保護カバー５を押動することで、それに接続されたスライドレールシート４に左右のロックロッド２、３を駆動させて回転させ、これによりプラグ本体１とソケット７の嵌め溝７１の係止位置決めと離脱の機能を達成し、且つ操作が簡便で楽な目的を達成できる。
２．周知の製品の上向きに起きた弾性フックを使用せず、取付部分の空間を節約でき、且つフックが引っ掛かり切断される情況を発生せず、またフックの弾性疲労の欠点がなく、プラグ本体１とソケット７の係止効果を高め、使用寿命を延長する目的を達成できる。
【図面の簡単な説明】
【００１５】
【図１】周知の通信ネットワーク用モジュラープラグとソケットの立体分解図である。
【図２】本考案の立体分解図である。
【図３】本考案の立体組合せ図である。
【図４】本考案中のプラグ本体と左右のロックロッドの立体組合せ図である。
【図５】本考案中のプラグ本体と左右のロックロッドの別角度の立体図である。
【図６】本考案中のスライドレールシートの別角度の立体図である。
【図７】本考案中のプラグ本体とソケットの立体分解図である。
【図８】本考案中のスライドレールシートが後ろに押動された後の平面断面図である。
【図９】本考案中のスライドレールシートが前に押動された後の平面断面図である。
【符号の説明】
【００１６】
１  プラグ本体
２、３  ロックロッド
４  スライドレールシート
５  保護カバー
１１  上端面
１１１、１１２  枢設孔
１１３  ストッパブロック
２１、３１  閉鎖部
２１１、３１１  フック
２２、３２  連動部
２２１、３２１  枢軸
４０  前係止溝
４１、４２  凸塊
４１０、４２０  滑り溝
４３  凸塊
４４  連動ブロック
４３１  後ろ係止溝
４４１、４４２  側面
５１  収容空間
５２  位置決め溝
５２１  前係止ブロック
５２２  後ろ係止ブロック
６  通信線
７  ソケット
７１  嵌め溝
８  プラグ
８１  弾性フック
９  ソケット
９１  嵌め溝
９１１  係止面
【図１】
0003108124.tif 000003
【図２】
0003108124.tif 000004
【図３】
0003108124.tif 000005
【図４】
0003108124.tif 000006
【図５】
0003108124.tif 000007
【図６】
0003108124.tif 000008
【図７】
0003108124.tif 000009
【図８】
0003108124.tif 000010
【図９】
0003108124.tif 000011